(57)【特許請求の範囲】
【請求項１】
洗浄水を便器に供給する洗浄水供給手段と、
溜水を溜めるボウル部と、
前記溜水を排出する排水路に前記洗浄水を吐出するジェット吐出口と、
前記洗浄水供給手段と前記ジェット吐出口とをつなぐ導水路が陶器と異なる材質である別体導水路と、
前記洗浄水供給手段の閉時に前記別体導水路内に空気を供給するバキュームブレーカーと、
を備えた水洗便器において、
前記バキュームブレーカーから空気が供給された状態における溜水面である別体導水路内溜水面より下方に位置する別体導水路の断面積が、前記洗浄水供給手段の端部に位置する洗浄水供給穴の断面積である洗浄水供給穴断面積よりも大きくなるように、前記別体導水路の途中に断面積が広がった拡張部が設けられていることを特徴とする水洗便器。
【請求項２】
前記拡張部の上面が前記洗浄水供給穴に向かって常に上昇傾斜していることを特徴とする請求項１記載の水洗便器。
【請求項３】
前記拡張部が、水平方向に延出された横引き拡張部であることを特徴とする請求項1乃至２いずれか記載の水洗便器。
【請求項４】
前記横引き拡張部の縦断面を、最大高さが最大幅を上回る形状にすることを特徴とする請求項３記載の水洗便器。
【請求項５】
前記横引き拡張部において、上流側に位置する第１横引き拡張部の上部が下流側に位置する第２横引き拡張部の上部より高い位置に構成されることを特徴とする請求項３乃至４いずれか記載の水洗便器。
【請求項６】
前記第１横引き拡張部において、前記第２横引き拡張部の上部より上方に位置する空気滞留部の容積が、前記洗浄水供給手段閉時における前記洗浄水供給手段から前記別体導水路内溜水面までに位置する空気の容積よりも大きいことを特徴とする請求項５記載の水洗便器。
【請求項７】
前記別体導水路において、前記拡張部への洗浄水流入口に向き合う前記拡張部の壁面が、前記洗浄水流入口に対し略垂直であることを特徴とする請求項１乃至６いずれか記載の水洗便器。
【請求項８】
前記別体導水路が可撓性部材であることを特徴とする請求項１乃至７のいずれか記載の水洗便器。
【請求項９】
前記ジェット吐出口の材質が便器本体と異なる材質である異材質ジェット吐出口であることを特徴とする請求項１乃至８のいずれか記載の水洗便器。
【請求項１０】
前記異材質ジェット吐出口と前記別体導水路が直接つながれていることを特徴とする請求項９記載の水洗便器。
【請求項１１】
洗浄水を便器に供給する洗浄水供給手段と、
溜水を溜めるボウル部と、
前記溜水を排出する排水路に前記洗浄水を吐出するジェット吐出口と、
前記ジェット吐出口に隣接し、便器と同材質である陶器導水路と、
前記洗浄水供給手段と前記陶器導水路とをつなぎ、便器と異なる材質である別体導水路と、
前記洗浄水供給手段の閉時に前記別体導水路内に空気を供給するバキュームブレーカーと、
を備えた水洗便器において、
前記陶器導水路の断面積である陶器導水路断面積が前記洗浄水供給手段の端部に位置する洗浄水供給穴の断面積である洗浄水供給穴断面積よりも大きいことを特徴とする水洗便器。
【発明の詳細な説明】
【０００１】
【発明の属する技術分野】
本発明は、洗浄水を便器に供給する洗浄水供給手段と、溜水を溜めるボウル部と、前記溜水を排出する排水路に前記洗浄水を吐出するジェット吐出口と、前記洗浄水供給手段と前記ジェット吐出口とをつなぐ導水路と、前記洗浄水供給手段の閉時に前記導水路内に空気を供給するバキュームブレーカーと、を備えた水洗便器に関する。
【０００２】
【従来の技術】
水洗便器の中には、洗浄水供給装置から供給された洗浄水をボウル部の底部に位置するジェット吐出口から排水路に向けて便器洗浄を行うタイプのものがある。このようなジェット吐出口付きの水洗便器では、洗浄水供給手段からの洗浄水をジェット吐出口に導く導水路を備えており、洗浄水供給手段からの洗浄水は、この導水路内を通過した後にジェット吐出口から噴出されていた。
【０００３】
【発明が解決しようとする課題】
しかしながら、このような水洗便器では、洗浄開始前における導水路内に溜水が溜まっていない中空領域が形成されるため、洗浄開始後に、この中空領域内の空気が導水路を通過する洗浄水に巻込まれることによって洗浄音が大きくなりやすいという問題があった。
【０００４】
また、この中空領域内の空気が導水路における洗浄水の流動抵抗としてより大きく作用し、ジェット吐出口から噴出される洗浄水のパワーが減少するが、洗浄水量が多量の場合はパワーが落ちた洗浄水に続いてパワーの落ちていない洗浄水が長く供給されるので、問題となることはなかった。しかし、節水の観点から洗浄水量を少量とした場合には、パワーが落ちた洗浄水に続いてパワーの落ちていない洗浄水の供給が短時間しかできないので、洗浄機能に支障をきたしてしまう恐れがあった。
【０００５】
なお、陶器はその製造方法の特性から数ｍｍの製品寸法公差や変形公差が必要となっている。例えば、ＪＩＳ規格では寸法１００ｍｍに対し、±５ｍｍの公差を規定している。しかし、このように数ｍｍの公差があると別体部品を便器に固定する際に便器と別体部品の間が水密状にならず、漏水を起こす可能性があった。
【０００６】
そこで、本発明は、上記の課題を解決し、ジェット吐出口を有する水洗便器において、洗浄水量の多少にかかわらず良好な洗浄機能を確保することを目的として、以下の構成を採った。
【０００７】
【課題を解決するための手段および作用・効果】
上記目的を達成するために請求項１では、バキュームブレーカーから空気が供給された状態における溜水面である別体導水路内溜水面より下方に位置する別体導水路の断面積が、洗浄水供給手段の端部に位置する洗浄水供給穴の断面積である洗浄水供給穴断面積よりも大きくなるように、別体導水路の途中に断面積が広がった拡張部が設けられていることを特徴とする。
ジェット吐水口から吐出された洗浄水の流速は、より広い流路断面積である拡張部に流入することによって低下し、これにより拡張部における洗浄水の空気の巻き込み力は小さくなる。したがって、洗浄水供給穴から別体導水路を通じ、拡張部内に洗浄水が供給された後、空気は拡張部の上部方向に上昇し、この結果、ジェット吐出口に送り込まれる空気量を低減することができる。
【０００８】
請求項２では、前記拡張部の上面が前記洗浄水供給穴に向かって常に上昇傾斜していることを特徴とする。このようにすると、拡張部の上部に溜まった空気が、洗浄が終了した際に洗浄水供給穴へ向かって上昇するので、空気が余分に拡張部内に滞留することがない。したがって、洗浄開始前と洗浄終了後の拡張部内にある空気の状態を常に一定に保つことができるので、連続洗浄においてもジェット吐出口に送り込まれる空気量を安定して低減することができる。
【０００９】
請求項３では、拡張部が水平方向に延出された横引き拡張部であることを特徴とする。
こうすると洗浄水は拡張部を流れる際に、分離した空気を再度巻き込みにくくなる。したがって、拡張部内において水と空気とを効率よく分離することができる。
【００１０】
請求項４では、横引き拡張部の縦断面を最大高さが最大幅を上回る形状にすることを特徴とする。
したがって、横引き拡張部内において洗浄水と空気とが接する面積が小さくなり、横引き拡張部を流れる際に洗浄水による空気の巻き込みを低減することができる。
【００１１】
請求項５では、上流側に位置する第１横引き拡張部の上部が下流側に位置する第２横引き拡張部の上部より高い位置に構成されることを特徴とする。
こうすると第1横引き拡張部の上部に空気が溜まり易くなり、第2横引き拡張部に移動する空気が減少する。また、第2横引き拡張部でも上部に空気が溜まるので、ジェット吐出口に送り込まれる空気量を低減することができる。
【００１２】
請求項６では、前記第２横引き拡張部の上部より上方に位置する空気滞留部の容積が洗浄水供給手段閉時において、洗浄水供給手段から別体導水路内溜水面まで位置する空気の容積よりも大きいことを特徴とする。
こうすると第1横引き拡張部の上部に別体導水路から進入した空気のほとんどを溜められるようになるので、第2横引き拡張部へ空気がほとんど移動しなくなり、ジェット吐出口に送り込まれる空気量をほぼゼロにすることができる。
【００１３】
請求項７では、拡張部への洗浄水流入口に向き合う前記拡張部の壁面が、前記洗浄水流入口に対し略垂直であることを特徴とする。
こうすると、洗浄水が衝突面に衝突した後、空気が洗浄水の流れの反対側に向かうので、空気が拡張部に滞留する可能性が高くなる。したがって、空気がジェット吐出口へ巻込まれにくくなりる。
【００１４】
請求項８では、別体導水路が可撓性部材であることを特徴とする。
したがって、別体導水路を便器に固定する際、別体導水路が微妙に変形し、便器の公差を吸収するので、漏水することなくセットすることができる。
【００１５】
請求項９では、ジェット吐出口が便器本体と異なる材質である異材質ジェット吐出口であることを特徴とする。
材質が陶器と異なるので、ジェット吐出口を精度良く、任意の構造に加工することが可能となる。したがって、ジェット吐出口を最適構造に作製することができる。
【００１６】
請求項１０では、異材質ジェット吐出口と前記別体導水路が直接つながれていることを特徴とする。
異材質ジェット吐出口と前記別体導水路の間に陶器ジェット室を設けないので、洗浄水供給手段からジェット吐出口までを最適な構造にて作製することができる。
【００１７】
請求項１１では、陶器導水路の断面積である陶器導水路断面積が洗浄水供給手段の端部に位置する洗浄水供給穴の断面積である洗浄水供給穴断面積よりも大きいことを特徴とする。
ジェット吐水口から吐出された洗浄水の流速は、より広い流路断面積である陶器導水路内の溜水面以下の位置に流入することによって低下し、これにより陶器導水導水路における洗浄水の空気の巻き込み力は小さくなる。したがって、洗浄水供給穴から陶器導水路内に洗浄水が供給された後、空気は陶器導水路の上部方向に上昇し、この結果、ジェット吐出口に送り込まれる空気量を低減することができる。
また、陶器導水路と別体導水路を固定するので、固定作業のしやすい位置に陶器導水路を設置することができ、作業性が向上する。
【００１８】
【発明の実施の形態】
以下図面に沿って発明内容の実施例を説明する。
図１に本発明に係る第一実施形態を示した水洗便器１の概略図、図２は図１に関するジェット導水路２の中央断面図、図３は図２に関する拡張部３のＭ−Ｍ断面およびＮ−Ｎ断面における断面図、図４は図２に関する洗浄水供給穴６のＬ−Ｌ断面における断面図を示す。
Ｍ−Ｍ断面では横寸法Ｂが洗浄水供給穴６の径Ｃと同等であり、縦寸法Ａが横寸法Ｂの２倍となる拡張部入口１７に一番近い位置となっている。また、Ｎ−Ｎ断面では横寸法Ｂは洗浄水供給穴６の径Ｃと同等であり、縦寸法ＡＮが横寸法Ｂの２倍となる拡張部出口１８に一番近い位置となっている。なお、Ｍ−Ｍ断面からＮ−Ｎ断面の間の断面積はＭ−Ｍ断面における断面積Ｓ３より２倍以上大きくなっている。
なお、拡張部３としては、Ｍ−Ｍ断面よりも少し上流側及びＮ−Ｎ断面よりも少し下流側までをも含むものであり、要は、断面積が洗浄水供給穴６のＬ−Ｌ断面における断面積よりも大きい流域が該当するものである。
図１、図２、図３および図４において、水洗便器１は、開閉弁を備え、ジェット導水路２およびリム導水路４への吐水を切替える洗浄水供給部５と、洗浄水供給部５の閉時にジェット導水路２およびリム導水路４に空気を供給するバキュームブレーカ３０と、洗浄水供給部５の端部に位置し、ジェット導水路２の上流側端部に接続する洗浄水供給穴６と、洗浄水供給部５の切替を制御する制御部７と、ジェット導水路２の下流側端部に接続され、陶器とは別の材質からなるジェット吐水口８を備えている。
ジェット導水路２は陶器とは別の可撓性材質から作製されており、水洗便器１のボウル部１４にジェット吐水口８を介して連通しているので、ボウル部１４に溜まった溜水１０の上部である溜水面１１の高さと、ジェット導水路２における溜水１０の上部であるジェット導水路内溜水面１２の高さは同位置となっている。
拡張部３では、Ｍ−Ｍ断面における断面積Ｓ３のように、縦寸法Ａが横寸法Ｂよりも大きくなるように構成され、その形状が水平方向に延びている横引き形状となっている。また、拡張部３の上面１３は洗浄水供給穴６に向かって上昇傾斜している。なお、ジェット導水路２は陶器とは別の別体部品であるので、便器の形状に寄らず、縦寸法Ａと横寸法Ｂの比率を任意の最適な値に設定したり、上面１３を確実に上昇させることができる。
【００１９】
次に洗浄経過について説明する。
図示しない加圧給水源から給水された洗浄水１５は、制御部７で制御され、洗浄水供給部５でリム導水路４へ開弁され、吐水される。その後、制御部７で制御され、洗浄水１５は洗浄水供給部５にてジェット導水路２へ吐水を切替えられ、ジェット吐出口８から噴出される。最後に洗浄水１５は制御部７で制御され、洗浄水供給部５にてリム導水路４へ吐水を切替えられ、ボウル面１４に溜水１０を溜めた後閉弁し、バキュームブレーカ３０より空気が供給される。
【００２０】
ここでジェット導水路２に洗浄水１５が給水されたときの様子を図５および図６にて説明する。図５は洗浄水１５がジェット導水路２へ給水されているときの概略図、図６はジェット吐水終了直後の概略図を示す。
洗浄水１５がジェット導水路２へ吐水されると空気１６は洗浄水１５に巻き込まれながら拡張部３に押し出される。拡張部３における断面積は洗浄水供給穴６の断面積断面積であるＳ６より広いのでその流速は低下し、巻き込まれた空気１６および１６ａは上部方向に上昇する。また、分離された空気１６が再度拡張部入口１７に移動し、洗浄水１５に巻き込まれたとしても、横引き部分が長いので拡張部出口１８に到達する前に再び空気１６と洗浄水１５に分離される。このためジェット吐水口８へ送り込まれる空気量を大幅に低減することができ、空気１６による洗浄音や水洗機能への影響を最小限に抑えることができる。
【００２１】
また、分離の効果を上げるためには、横引き部の断面形状を図３に示すように縦長形状とし、空気１６と洗浄水１５とが接する面積を小さくすることも有効である。
【００２２】
そしてジェット吐水が終了すると図６に示すように、バキュームブレーカ３０より供給された新たな空気２０が進入する。また、分離された空気１６は、より高い位置へ移動するが、上面１３が洗浄水供給穴６に向かって上昇傾斜しているので、拡張部３に空気１６が残留することはない。したがって、図２に示すような洗浄前の状態に常に戻ることができ、連続洗浄した場合でも空気を分離する効果を持続することができる。
【００２３】
さらに、分離が効果的に行われる断面積が２倍以上である、Ｍ−Ｍ断面からＮ−Ｎ断面までの横引き部の長さは径Ｃの５倍以上が望ましい。横引き部の長さが径Ｃの５倍以上であれば空気分離効果の良好な状態が維持される。
【００２４】
また、ジェット導水路２は、水洗便器１のセット面１９にセットされたジェット吐水口８と、洗浄水供給部５の間に固定されている。セット面１９は陶器の製造誤差にため正規の位置より数ｍｍずれることがあるが、ジェット導水路２の材質は可撓性あるので、そのずれを吸収し、容易かつ確実に固定することができる。そのため、固定不良による漏水の可能性も下げることができる。
【００２５】
ジェット吐水口８は別体部品で精度良く作製されるので、低流量の給水でも十分な流速が確保され、洗浄性能を維持しつつ、小流量であるため洗浄水１５の流速が落ち、洗浄音が小さくなるという効果もある。
【００２６】
なお、ここでいう加圧給水源は、水頭圧が約２５０ｍｍ程度の便器載置型の洗浄水貯留タンクでは得られない給水圧（元圧）を呈するものの総称を意味する。よって、本発明の加圧給水源は、水道管等の加圧給水管の他、家屋屋上・ビル屋上等のように便器載置型に比して大きな水頭圧を持って洗浄水給水が可能なものを含む。
【００２７】
次に第一実施形態の第一変形例を示す。
図７に第一実施形態の変形例を示した水洗便器５０１の概略図、図８は図７に関するジェット導水路５０２の中央断面図、図９は洗浄水５１５がジェット導水路５０２へ供給されている時の概略図を示す。
図７および図８では、拡張部５０３が上流側に位置する第１横引き拡張部５０３ａと下流側に位置する第２横引き拡張部５０３ｂから構成されている。ここでは第１横引き拡張部５０３ａの上部に位置する空気滞留部５３１が、第２横引き拡張部５０３ｂの上部より上方にあり、洗浄水供給手段５０７閉時におけるジェット導水路内溜水面５１２より上方に位置する空気５１６の容積よりも大きいことを特徴とする。
このように空気滞留部５３１の容積が空気５１６の容積より大きければ、図９に示すように洗浄水５１５が供給される際に空気５１６の大半からなる空気５１６ａが空気滞留部５３１に滞留するので、第２横引き拡張部５０３ｂに移動する空気５１６ｂや５１６ｃの量が減り、第２横引き拡張部５０３ｂからジェット吐出口５０８へ移動する空気５１６を大幅に低減することができる。
【００２８】
また、第２横引き拡張部５０３ｂの上部の傾斜角度を５度以上とすると、洗浄水５１５が供給されている時に空気５１６ｃが、上流側となる第１横引き拡張部５０３ａ側に移動するので、空気５１６ｃがジェット吐出口５０８に進入する量をさらに低減することができる。
【００２９】
なお、拡張部５０３の容積については空気５１６の５倍以上とすると、空気５１６と洗浄水５１５の分離効果がさらに向上し、ほぼゼロとすることができる。
【００３０】
また、図１０に拡張部５０３の入口５１７の略垂直方向に位置する反対側壁面５３２の詳細図となる図８におけるＡ部詳細図を示す。ここでは拡張部５０３の内部の曲がりＲが内径Ｄの延長線上である2点鎖線より小さく設計されている。このようにすると、洗浄水５１５が壁面５３２に衝突した際に第１横引き拡張部５０３ａの上部方向に反射するし、洗浄水５１５と共に巻込まれた空気５１６が第２横引き拡張部５０３ｂ方向へ進入する量が少なくなるので、空気５１６の分離効果がより高くなる。
【００３１】
次に第一実施形態の第二変形例を示す。  図１１に第二変形例を示した水洗便器１０１の概略図、図１２は図１１に関するジェット導水路１０２の中央断面図、図１３は図１２に関する拡張部１０３のＯ−Ｏ断面およびＰ−Ｐ断面における断面図を示す。
図１１および図１２は拡張部１０３にジェット導水路溜水面１１２が位置している変形例である。ここではジェット導水路溜水面１１２以下のＯ−Ｏ断面における溜水１１０部分の断面積Ｓ１０３およびＰ−Ｐ断面における溜水１１０部分の断面積Ｓ１０３Ｐが洗浄水供給穴１０６の図示しない断面積Ｓ１０６より大きいことを特徴とする。
このように溜水面以下の断面積Ｓ１０３および断面積Ｓ１０３Ｐが洗浄水供給穴１０６の図示しない断面積Ｓ１０６より大きければ、ジェット導水路溜水面１１２が拡張部１０３に位置していても空気１１６と洗浄水１１５の分離については第一実施形態と同等の効果が得られる。
【００３２】
次に第一実施形態の第三変形例を示す。
図１４に第三変形例を示した水洗便器２０１の概略図、図１５は図１４に関するジェット導水路２０２の中央断面図、図１６は図１５に関する拡張部２０３のＱ−Ｑ断面における断面図を示す。
図１４、図１５および図１６において、水洗便器２０１は、開閉弁を備え、開弁時間制御機構を持つフラッシュバルブ２０５と、フラッシュバルブ２０５の閉弁時に空気を供給するバキュームブレーカ２３０と、フラッシュバルブ２０５の端部に位置する洗浄水供給穴２０６と、ジェット導水路２０２の下流側端部に接続されるジェット室２２０と、ジェット室２２０の先端面に位置するジェット吐出口２２１とを備え、拡張部２０３の断面積Ｓ２０３が洗浄水供給穴２０６の図示しない断面積Ｓ２０６より大きいことを特徴とする。
洗浄水供給穴２０６に接続された分岐管２２４はジェット導水路２０２とリム導水路２０４に分岐しており、ジェット導水路２０２は下流側でジェット室２２０の接続穴であるジェット室接続穴２２２に接続されている。
【００３３】
次に洗浄経過について説明する。
図示しない加圧給水源から給水された洗浄水２１５は、洗浄開始ボタン２２３を操作することによりフラッシュバルブ２０５で開弁され、分岐管２２４を経由し、リム導水路２０４およびジェット導水路２０２へ同時吐水される。そして、フラッシュバルブ２０５にて一定時間経過後、ボウル部２１４に溜水２１０をため、自動的に閉弁し、バキュ−ムブレーカ２３０より空気が供給される。
【００３４】
ここでジェット導水路２０２に洗浄水２１５が給水されたときの様子を図１７にて説明する。図１７は洗浄水２１５が給水されているときの概略図を示す。
洗浄水２１５がジェット導水路２０２へ吐水されるとジェット導水路２０２内の空気２１６は洗浄水２１５に巻き込まれながら、拡張部２０３に押し出される。拡張部２０３では断面積Ｓ２０６が広くなるのでその流速は低下し、巻き込まれた空気２１６および２１６ａは上部方向に上昇する。また、分離された空気２１６が再度拡張部入口２１７に移動し、洗浄水２１５に巻き込まれたとしても、再び拡張部２０３で分離されるので、拡張部出口２１８を空気２１６がほとんど通過しない。このため、ジェット吐水口２２１へ送り込まれる空気量を大幅に低減することができ、空気２１６による洗浄音や水洗機能への影響を最小限に抑えることができる。
【００３５】
また、ジェット吐出口２２１には陶器とは異なる材質の異材質ジェット吐水口をセットしても良い。異材質ジェット吐水口は精度良く作製されているので、低流量の給水でも十分な流速が確保され、洗浄性能を維持しつつ、小流量であるため洗浄水１６の流速が落ち、洗浄音が小さくなるという効果もある。
【００３６】
次に第二実施形態を示す。  図１８に第二実施形態を示した水洗便器３０１の概略図、図１９は図１８に関するジェット別体導水路３０２および陶器導水路３２５の中央断面図を示す。
図１８および図１９において、水洗便器３０１は、開閉弁を備え、ジェット別体導水路３０２およびリム導水路３０４への吐水を切替える洗浄水供給部３０５と、洗浄水供給部３０５の閉時にジェット導水路３０２およびリム導水路３０４に空気を供給するバキュームブレーカ３３０と、洗浄水供給部３０５の端部に位置し、ジェット導水路３０２の上流側端部に接続する洗浄水供給穴３０６と、洗浄水供給部３０５の切替を制御する制御部３０７と、排水路３２４に対峙したジェット室３２０と、ジェット室３２０の先端面に位置するジェット吐出口３２１と、ジェット室３２０に隣接し、水洗便器３０１と同材質である陶器導水路３２５とを備え、陶器導水路３２５の図示しないＳ−Ｓ断面における断面積Ｓ３２５が洗浄水供給穴３０６における図示しない断面図Ｓ３０６より大きいことを特徴とする。
したがって、第一実施形態と同様に空気３１６と洗浄水３１５が陶器導水路３２５にて分離し、空気３１６による洗浄音や水洗機能への影響を最小限に抑えることができると共に、陶器導水路３２５を別体導水路３０２との固定作業のしやすい溜水面３１１の高さ近くに設置しており、固定の作業性が向上している。
【図面の簡単な説明】
【図１】本発明に係る第一実施形態を示した水洗便器１の概略図である。
【図２】図1に関するジェット導水路２の中央断面図
【図３】図２に関する拡張部３のＭ−Ｍ断面およびＮ−Ｎ断面における断面図
【図４】図２に関する洗浄水供給穴６のＬ−Ｌ断面における断面図
【図５】洗浄水１５がジェット導水路２へ給水されているときの概略図
【図６】ジェット吐水終了直後の概略図
【図７】第一実施形態の変形例を示した水洗便器５０１の概略図
【図８】図７に関するジェット導水路５０２の中央断面図
【図９】洗浄水５１５がジェット導水路５０２へ供給されている時の概略図
【図１０】図８におけるＡ部詳細図
【図１１】第二変形例を示した水洗便器１０１の概略図
【図１２】図１１に関するジェット導水路１０２の中央断面図
【図１３】図１２に関する拡張部１０３のＯ−Ｏ断面およびＰ−Ｐ断面における断面図
【図１４】第三変形例を示した水洗便器２０１の概略図
【図１５】図１４に関するジェット導水路２０２の中央断面図
【図１６】図１５に関する拡張部２０３のＱ−Ｑ断面における断面図
【図１７】洗浄水２１５が給水されているときの概略図
【図１８】第二実施形態を示した水洗便器３０１の概略図
【図１９】図１８に関するジェット別体導水路３０２および陶器導水路３２５の中央断面図
【符号の説明】
１、１０１、２０１、３０１、５０１…水洗便器
２、１０２，２０２、３０２、５０２…ジェット導水路
３、１０３、２０３、５０３…拡張部
４、２０４、３０４…リム導水路
５、３０５…洗浄水供給部
６、２０６、３０６…洗浄水供給穴
７、３０７、５０７…制御部
８、２２１、３２１、５０８…ジェット吐水口
１０、１１０、２１０…溜水
１１、１１１、２１１…溜水面
１２、１１２、３１２、５１２…ジェット導水路内溜水面
１３…拡張部３の上面
１４、１１４、２１４…ボウル部
１５、１１５、２１５、３１５、５１５…洗浄水
１６、１６ａ、１１６、２１６、２１６ａ、３１６、５１６、５１６ａ、５１６ｂ、５１６ｃ…空気
１７、２１７、５１７…拡張部入口
１８、２１８…拡張部出口
１９…水洗便器１のセット面
２０…バキュームブレーカ３０より供給された新たな空気
３０、２３０，３３０…バキュームブレーカ
２０５…フラッシュバルブ
２２０、３２０…ジェット室
２２２…ジェット室接続穴
２２３…洗浄開始ボタン
２２４…分岐管
３２４…排水路
３２５…陶器導水路
５０３ａ…第１横引き拡張部
５０３ｂ…第２横引き拡張部
５３１…空気滞留部
５３２…入口５１７の略垂直方向に位置する反対側壁面
Ｓ３…拡張部３の断面積
Ｓ６…洗浄水供給穴６の断面積
Ｓ１０３…Ｏ−Ｏ断面における溜水部１１０の断面積
Ｓ１０３Ｐ…Ｐ−Ｐ断面における溜水部１１０の断面積
Ｓ１０６…洗浄水供給穴１０６の断面積
Ｓ２０３…拡張部２０３の断面積
Ｓ２０６…洗浄水供給穴２０６の断面積
【図１】
0003636144.tif 000002
【図２】
0003636144.tif 000003
【図３】
0003636144.tif 000004
【図４】
0003636144.tif 000005
【図５】
0003636144.tif 000006
【図６】
0003636144.tif 000007
【図７】
0003636144.tif 000008
【図８】
0003636144.tif 000009
【図９】
0003636144.tif 000010
【図１０】
0003636144.tif 000011
【図１１】
0003636144.tif 000012
【図１２】
0003636144.tif 000013
【図１３】
0003636144.tif 000014
【図１４】
0003636144.tif 000015
【図１５】
0003636144.tif 000016
【図１６】
0003636144.tif 000017
【図１７】
0003636144.tif 000018
【図１８】
0003636144.tif 000019
【図１９】
0003636144.tif 000020